(57)【要約】      （修正有）【課題】繊維強化プラスチック製船舶の横滑りを防止し、走行性能の向上を図る船底形状を有する船体を提供する。【解決手段】繊維強化プラスチック製船舶において最後部から前方に向かって、船体ａ中心線と平行にその船の水線間長の１／３の長さで船底両側に下方に突起した、断面がＶ型のバルジｂを設け、高速旋回時にそのＶ型のバルジｂが横方向から受ける水の形状抵抗によって，横滑りを防止する効果が得られる。【選択図】図１
0003210545.tif 000002
【実用新案登録請求の範囲】
【請求項１】
繊維強化プラスチック製船舶において最後部から前方に向かって、その船の水線間長の１／３の長さで船底両側に下方に突起したＶ型のバルジを設けたことを特徴とする船底形状であり、高速旋回時にそのバルジが横方向から受ける水の形状抵抗によって，横滑りを防止する効果が得られる。
【請求項２】
前記Ｖ型のバルジは、船体長さ方向の中心線と平行に設置されていることを特徴とし、直進時に船首から船尾に流れる水をまっすぐに後方に整流することによって、船の保進性を向上させることができる。
【請求項３】
前記船底形状は推進機のプロペラを中心にＶ型のバルジとキールとによって前方からの水の流れを効率よくプロペラに集めるトンネル形状ができることを特徴とし、プロペラにより多くの水が集まることによって、高速航行時の推進効率を向上させる。
【請求項４】
上記Ｖ型のバルジを船底の左右両側に設けることによって、左右の容積が増え、浮力が増すため、復元性能を向上させる。
【考案の詳細な説明】
【技術分野】
【０００１】
本考案は、繊維強化プラスチック製船舶の船底部の形状に関する。
【背景技術】
【０００２】
従来の小型の繊維強化プラスチック製の高速艇には、図８のｆに示したようなボックスキールや図８のｇに示したような大きなスケグなどがなく、図８のｅに示したようなＶ型の船底形状のものが多い。そのため、高速での旋回時に、慣性によって旋回開始直前までの進行方向に船尾が横滑りしやすい。  
【０００３】
また、図８のｆに示すようなボックスキールや図８のｇに示すスケグのない図８のｅに示すＶ型船底形状の船は直進時に風や波の影響によって、左右にぶれるなどの保進性能の悪さがある。
【０００４】
船外機推進の船は、一般的にプロペラ径が小さくプロペラの回転数の多さで、推進力を増すよう造られていることや、プロペラの位置が水深深く入っておらず、効率よく走行するためには船首方向から船底部を流れてくる水流を効率よくプロペラに集める必要がある。
【０００５】
しかし、通常の単胴船は、図８のｅ、ｆ、ｇに示すように横断面形状が中央から船側に向けて上がっていく船底形状が多く、そのために船首側から流れてきた水が船側方向に逃げてしまう傾向がある。
【先行技術文献】
【特許文献】
【０００６】
【特許文献１】特開平０８−１０４２８５
【特許文献２】特開平０６−１１５４８２
【考案の概要】
【考案が解決しようとする課題】
【０００７】
従来の小型の高速艇は、図８のｅに示すようなＶ型船底形状のものが多い。そのため、高速で旋回しようとすると時に、船尾が横滑りしやすい。よって旋回半径が大きくなり、他船やその他障害物に衝突する恐れがある。
【０００８】
図８のｅで示すようなＶ型船底形状船は、横から受ける風や波に対して形状抵抗となる図８のｆで示すようなボックスキールや図８のｇで示すようなスケグがないため、その応力によって横方向へのぶれが大きくなる。従って、そのぶれを、常時、舵で補正しなければならない。
【０００９】
近年の高速船は毎時３０ノットを超えるスピードを出すようになり、そのためには、いかに多くの水を推進機のプロペラに集められるかが重要となる。しかし、通常の単胴船の船底形状は、図８のｅ、ｆ、ｇで示したように、断面が中央から船側に向か
って上がっていく形状になっており、多くの水が横方向に逃げてしまう形状となっている。従って、効率よく走行するためには、横に逃げようとする水をプロペラに導く必要がある。
【００１０】
水をプロペラに集中させることは、高速走行時には非常に重要なことであり、プロペラに水を集中させられないことは、スピードが上げられないばかりか、キャビテーションの原因ともなり、プロペラやプロペラ軸の損傷にもつながる。
【００１１】
船の横揺れは、船酔いなど乗り心地にも大きく影響するが、船上での作業の安全性などにも、大きく影響する。そこで、船の動揺は、最小限におさえなければならない。
【課題を解決するための手段】
【００１２】
本考案は、船底後部左右にその船の水線間長の約１／３の長さで図１のｂで示すような断面がＶ型のバルジを設ける。
【００１３】
そのＶ型のバルジは図５で示すように船体ａの長さ方向の中心線とＶ型バルジの長さ方向の中心線が平行になるように設け、船首側から流れてくる水の抵抗とならないようにする。
【００１４】
そのＶ型のバルジは、船体上架時に支障とならないようＶ型の下部は、キール下部より下に出ないように設ける。
【００１５】
Ｖ型下部の開き角度は７０度とし、バルジ本体に容積を持たせることによって浮力を増加させる。
【００１６】
また、そのＶ型の船底バルジの船首側先端部は鋭角に尖らせ船首側から流れてくる水をより抵抗の少ない状態で図５に示すように後方の図６のｐに示すプロペラに効率よく導くようにする。
【考案の効果】
【００１７】
この考案の図１のｂに示したような、Ｖ型の船底バルジを船底後部の左右に設けることによって、前述した、高速旋回時の横滑りが図４で示すように、慣性で横滑りしようとする船体ａをＶ型の船底バルジｂが受ける水の形状抵抗によって防止する。
【００１８】
このＶ型の船底バルジは、スケグの役割も果たし、図５に示すようにＶ型バルジｂは、船体ａの中心線と平行に設けられているため、船底を通過する水流がＶ型バルジｂによって船体と平行に整流されつつ後方に流されることとなり直進時の保進性が改善される。
【００１９】
尚且つ、このＶ型の船底バルジｂは図５及び図６で示すように船首側からきた水を横方向に逃がすことなく効率よくプロペラｐに導くため推進効率を向上させる。
【００２０】
船底左右のバルジによって、左右の浮力が増すため、図７で示すように復元性能も改善され、横向きの動揺を抑えることができる。
【図面の簡単な説明】
【００２１】
【図１】Ｖ型の船底バルジを設けた船体を斜め後方から見た立体図である。
【図２】Ｖ型の船底バルジを設けた船体を側面から見た図である。
【図３】Ｖ型の船底バルジを設けた船を後方から見た図である。
【図４】Ｖ型の船底バルジを設けた船が水上を旋回する際にＶ型の船底のバルジが受ける形状抵抗を表す図である。
【図５】Ｖ型の船底バルジを設けた船が、直進する際の船底を流れる水流を下から見た図である。
【図６】Ｖ型の船底バルジを設けた船に、船外機を２基付けた際の、キールと左右のＶ型バルジとプロペラの位置関係を示した図である。
【図７】Ｖ型の船底バルジを設けた船が横に傾斜した際の浮力の働き方を示した図である。
【図８】一般的なＶ型船型とボックスキール付き船型とスケグ付き船型の違いを表した図である。
【図９】Ｖ型の船底バルジを成型するためのマスター型の図面
【考案を実施するための形態】
【００２２】
本考案のＶ型のバルジは、材質をガラス繊維強化プラスチックで製作し、その成型の為のマスター型として、先端角度７０度のＶ型形状の木型を製作する。マスター型の製作には基板の上に合板を山型に組み図９の中央断面図に示す通り逆Ｖの字型形状を作る、長さは、船体ａの水線間長の１／３の長さとし、船首側先端から後方１０００ｍｍの位置から先端にかけては、幅及び高さを徐々に小さくしていき先端部で船底と平らとなるようにする。
【００２３】
上記の要領で、できたマスター型の表面にワックス掛けをして離型処理をしたうえで、ガラス繊維強化プラスチックを積層ライニングして、Ｖ型のバルジ成型用の雌型を製作する。強化プラスチックが硬化し終わったら、脱型をする。その際、左右の船底バルジを同時に成型できるよう、同じ作業を繰り返し、雌型を２つ製作しておく。
【００２４】
上記の要領で、出来上がったＶ型バルジの雌型の内壁面に、ワックス掛けをして離型処理をしたうえで、船体ａの船底外板と同等のガラス繊維構成にてガラス繊維強化プラスチックを積層ライニングする。ライニングしたガラス繊維強化プラスチックが完全硬化したら、雌型から脱型する。
【００２５】
脱型したＶ型バルジは、船底最後部の左右の端にＶ型バルジの後端と船のトランサムが平らになるように、また、Ｖ型バルジの中心線が船体ａの中心線と平行になるような位置に取り付けパテなどで仮留めした上で、ガラス繊維強化プラスチックにて船体ａの船底と積層ライニングして一体化する。
【００２６】
また、このＶ型の船底バルジを付けた同型の艇体を複数建造する場合は、前述のＶ型バルジ成型用の雌型を、建造しようとする艇体の雌型の船底部に直接取り付けて船殻のガラス繊維強化プラスチックを積層ライニングする際に、同時に積層ライニングすることによって、より強固に、また作業効率よく成型することができる。
【符号の説明】
【００２７】
ａ    Ｖ型の船底バルジを設けた船体
ｂ    Ｖ型の船底バルジ
ｄ    旋回時にＶ型の船底バルジにあたる水流
ｅ    Ｖ型の船底形状をした船の形状
ｆ     船底にボックスキールを付けている船の形状
ｇ    船底にスケグを付けている船の形状
ｋ  キール
ｐ    推進機のプロペラ
【図１】
0003210545.tif 000003
【図２】
0003210545.tif 000004
【図３】
0003210545.tif 000005
【図４】
0003210545.tif 000006
【図５】
0003210545.tif 000007
【図６】
0003210545.tif 000008
【図７】
0003210545.tif 000009
【図８】
0003210545.tif 000010
【図９】
0003210545.tif 000011
【手続補正書】
【提出日】平成29年3月30日(2017.3.30)
【手続補正１】
【補正対象書類名】実用新案登録請求の範囲
【補正対象項目名】全文
【補正方法】変更
【補正の内容】
【実用新案登録請求の範囲】
【請求項１】
繊維強化プラスチック製船舶において最後部から前方に向かって、船体中心線と平行にその船の水線間長の１／３の長さで船底両側に下方に突起した、断面がＶ型のバルジを設け、高速旋回時にそのＶ型のバルジが横方向から受ける水の形状抵抗によって，横滑りを防止する効果が得られることを特徴とする船底形状を有する船体。
【請求項２】
繊維強化プラスチック製船舶において最後部から前方に向かって、その船体中心線と平行に水線間長の１／３の長さで船底両側に下方に突起した、断面がＶ型のバルジを設けることによって、船体中心線と平行に水流を後方に導き整流することができ、直進時の保進性能を向上させることができることを特徴とする船底形状を有する船体。
【請求項３】
繊維強化プラスチック製船舶において最後部から前方に向かって、その船体中心線と平行に水線間長の１／３の長さで船底両側に下方に突起した、断面がＶ型のバルジを設けることによって、Ｖ型のバルジとキールとの間にトンネル形状を形成し、そのトンネルが前方からの水の流れを効率よくプロペラに集め、推進効率を向上させることを特徴とした船底形状を有する船体。
【請求項４】
繊維強化プラスチック製船舶において最後部から前方に向かって、その船体中心線と平行に水線間長の１／３の長さで船底両側に下方に突起した、断面がＶ型のバルジを船底の左右両側に設けることによって、左右の吃水下の船体容積が増え、浮力が増すため、復元性能を向上させることを特徴とする船底形状を有する船体。